(57)【要約】      （修正有）【課題】幼児のいる高層住宅の入居者のために簡単で確実なバルコニーからの転落防止装置を提供する。【解決手段】薄い金属板を材料とし、その長さはバルコニーのフェンス２の手すりとほぼ等しいが、その幅は手すりよも充分に広いように切断して曲げ加工したまま材料４を、手すり３の上にかぶせるように取り付ける。これにより、幼児の小さい手が手すりを握れないようにし、他方、同じ長さで幅の狭い金属板を曲げ加工した副材料５をフェンスの下辺に取り付け、これら２本をフェンスの両端において垂直材料６が直角に連結して全体を強化し、転落防止装置を構成する。【選択図】図４
0003168718.tif 000002
【実用新案登録請求の範囲】
【請求項１】
一般にマンションと呼ばれている高層の集合住宅において、各住宅の露天部分にバルコニーを配置し、その先端の全長にわたって転落防止のフェンスを設ける構造を採用している場合に、入居者の幼児がこのフェンスによじ登り、誤って地上に転落する可能性があり、最近、その実例が報道されたので、これに類する事故の再発を防止するために、フェンスの手すりとほぼ等しい長さで、それよりも広い幅を持つ金属製品を制作し、それを手すりの上に取り付けて幼児の手では握れない状態にすることによって、同様の事故を防止する装置。
【請求項２】
金属の薄板を主材料とし、その加工を行う業者の協力を得て、バルコニーのフェンスの手すりの長さを長辺とし、その幅より若干広い幅を短辺とするように加工させて現場に搬入し、目的のフェンスの上にあてがい、適切な金物で固定する工事方法。
【考案の詳細な説明】
【技術分野】
【０００１】  一般にマンションと呼ばれている高層の集合住宅において、各住宅の展望台としてバルコニーを配置した場合には、その先端に転落防止のフェンスを設ける構造が従来から主流となり、特に問題となっていなかった。しかし最近の新聞の報道によれば、幼児がこのフェンスの手すりによじ登り、乗り越えて地上に転落して死亡した。今後、類似の事故を防止するために、フェンスの手すりの上部において、幼児の手では握れない構造を持ち、不要になれば取り外しも可能な危険防止装置が必要となっている。
【背景技術】
【０００２】  この種類の死亡事故が頻繁に発生しているわけではないから、高層の集合住宅のバルコニーの全部または大部分が危険であると指摘することはできない。しかし、上記の新聞報道によれば、平成２２年９月６日に盛岡市内のマンションの１７階のベランダから３歳の幼児がフェンスを乗り越えて転落死した。同様な事故が再発しないために必要な対策を考案しなければならない。
【考案の概要】
【考案が解決しようとする課題】
【０００３】  一般にマンションと呼ばれている高層の集合住宅においては、外気浴のため又は展望台としてバルコニーが設けられている場合が多い。その先端にあるフェンスを幼児が乗り越えて転落する事故が再発しないようする。
【課題を解決するための手段】
【０００４】  本考案は薄い金属板を主材料とし、その長さはバルコニーのフェンスの手すりとほぼ等しいが、その幅は手すりより若干広いように曲げ加工し、それを手すりに密着するよう取り付けることによって幼児の小さい手がそれを握れないようにし、他方、同じ長さで幅の狭い副材料をフェンスの下辺に取り付け、これら２本をフェンスの両端において補助材料が垂直に連結して全体を強化することによって課題を解決することができる。
【考案の効果】
【０００５】  本考案は、高層の集合住宅に居住し幼児を育てている家庭において、その幼児がバルコニーから転落する事故を防止する方法として十分に有効であり、材料、加工、現地工事の費用も妥当な範囲で済む。【０００６】  幼児が成長して本考案が不必要となった場合には分解して撤去することにより、バルコニー本来の美観を回復することができる。【０００７】  その後、同じ集合住宅において、もっと若い別の家族が幼児の転落を憂慮する場合を想定するならば、分解し撤去された装置をその集合住宅を管理している事業者が保存し、それを提供して再利用することもできる。
【図面の簡単な説明】
【０００８】
【図１】高層の集合住宅の各居住区のバルコニーの外観を示す図である。
【図２】図１を拡大し、バルコニー、フェンスとその手すりを描写した図である。
【図３】手すりの上に取り付けた主材料を上方から垂直に見た状況と、主材料、副材料及び補助材料を外部から水平に見た状況とを関連させた図である。
【図４】手すりの最上部に取り付けた主材料、フェンスの最下部に取り付けた副材料、及びそれらを外側から連結する補助材料の断面を示す拡大図である。
【図５】図４において手すりの断面を長方形と想定していたのに対し、ここではその断面が楕円形の場合を追加して本考案の応用範囲を拡大した。
【考案を実施するための形態】
【０００９】  冒頭に新聞報道として記述した幼児の転落事故は、遠く盛岡市の事件であるから、その高層住宅を当考案の対象として撮影し、又は図示することは適当ではない。その代わりに、考案者が居住する神奈川県内で観察した高層住宅の内で、各居住区にバルコニーと転落防止のフェンスを設けてある実例を写生し、その上層部を示して図１とした。
【００１０】  写生したバルコニーを更に詳しく示すために、図１の一部分を拡大して図２とした。この実例のバルコニーのフェンスにおいては、その上辺と下辺に、強靭で長い建材を水平に横たえ、それらを垂直につなぐように、細いパイプ状の建材が多数整列していた。
【００１１】  これを前提として本考案を実施するためには、〔０００４〕で記述した主材料をフェンスの上辺にあてがって仮止めし、下辺においては主材料と同じ長さであるが幅がせまい副材料をあてがって仮止めし、それらの両端、合わせて４箇所を２本の補助材料で垂直に連結することによって全体を安定させ強化することができる。これを図示するために、バルコニーの上から垂直に見た状況と外から水平に見た状況を互いに対応するように配置して図３とした。
【００１２】  図３において垂直方向と水平方向から図示した工事の概況を、図４では横方向から図示した断面図として描き、且つ縮尺を大幅に拡大することにより、主材料がフェンスの上辺の上に、副材料がフェンスの下辺の下に、補助材料がそれらを連結している状況を明確にした。
【００１３】  図４で図示したフェンスは神奈川県内で観察した一部の高層住宅を参考とし、手すりの断面を長方形と想定しているが、そのほかに、手すりの断面が楕円形または円形となっている場合もありうるので、その場合は金属加工業者に協力させて、それに適合する主材料と副材料を提供しなければならない。その可能性を考慮して図５を追加した。
【符号の説明】
【００１４】１  バルコニー
２  フェンス
３  手すり
４  主材料
５  副材料
６  補助材料
【図１】
0003168718.tif 000003
【図２】
0003168718.tif 000004
【図３】
0003168718.tif 000005
【図４】
0003168718.tif 000006
【図５】
0003168718.tif 000007
【手続補正書】
【提出日】平成23年1月25日(2011.1.25)
【手続補正１】
【補正対象書類名】明細書
【補正対象項目名】全文
【補正方法】変更
【補正の内容】
【考案の詳細な説明】
【技術分野】
【０００１】  一般にマンションと呼ばれている高層の集合住宅において、各住宅の展望台としてバルコニーを配置した場合には、その先端に転落防止のフェンスを設ける構造が従来から主流となり、特に問題となっていなかった。しかし最近の新聞の報道によれば、幼児がフェンスの手すりによじ登り、乗り越えて地上に転落して死亡した。今後、類似の事故を防止するために、フェンスの手すりの上部において、幼児の手では握れない構造を持ち、不要になれば取り外しも可能な危険防止装置が必要となっている。
【背景技術】
【０００２】  この種類の死亡事故が頻繁に発生しているわけではないから、高層の集合住宅のバルコニーの全部または大部分が危険であると指摘することはできない。しかし、上記のような死亡事故が再発しないための対策と装置を考案しなければならない。
【考案の概要】
【考案が解決しようとする課題】
【０００３】  一般にマンションと呼ばれている高層の集合住宅においては、外気浴のため又は展望台としてバルコニーが設けられている場合が多い。その先端にあるフェンスを幼児が乗り越えて転落する事故が再発しないようする。
【課題を解決するための手段】
【０００４】  本考案は薄い金属板を材料とし、その長さはバルコニーのフェンスの手すりとほぼ等しいが、その幅は手すりよも充分に広いように切断して曲げ加工し、手すりの上にかぶせるように取り付けることによって幼児の小さい手が手すりを握れないようにし、他方、同じ長さで幅の狭い金属板を曲げ加工してフェンスの下辺に取り付け、これら２本をフェンスの両端において垂直材料が直角に連結して全体を強化することによって課題を解決することができる。
【考案の効果】
【０００５】  本考案は、高層の集合住宅に居住し幼児を育てている家庭において、その幼児がバルコニーから転落する事故を防止する方法として十分に有効であり、材料、加工、現地工事の費用も妥当な範囲で済む。【０００６】  幼児が成長して本考案が不必要となった場合には分解して撤去することにより、バルコニー本来の美観を回復することができる。【０００７】  その後、同じ集合住宅において、もっと若い別の家族が幼児の転落を憂慮する場合を想定するならば、分解し撤去された装置をその集合住宅を管理している事業者が保存し、それを提供して再利用することもできる。
【図面の簡単な説明】
【０００８】
【図１】高層の集合住宅の各居住区のバルコニーの外観を示す図である。
【図２】図１を拡大し、バルコニー、フェンスとその手すりを描写した図である。
【図３】手すりの上の手すりカバーを上方から垂直に見た状況と、手すりカバー、底辺材料及び垂直材料を外部から水平に見た状況とを関連させた図である。
【図４】手すりの上部に取り付けた手すりカバー、フェンスの下部に取り付けた底辺材料および全体を外側から連結する垂直材料の断面を示す拡大図である。
【図５】図４において手すりの断面を長方形と想定していたのに対し、ここでは、その断面が楕円形の場合を追加して本考案の応用範囲を拡大した。
【考案を実施するための形態】
【０００９】  冒頭に新聞報道として記述した幼児の転落事故は、遠く盛岡市の事件であるから、その高層住宅を当考案の対象として撮影し、又は図示することは適当ではない。その代わりに、考案者が居住する神奈川県内で観察した高層住宅の内で、各居住区にバルコニーと転落防止のフェンスを設けてある実例を写生し、その上層部を示して図１とした。
【００１０】  写生したバルコニーを更に詳しく示すために、図１の一部分を拡大して図２とした。この実例のバルコニーのフェンスにおいては、その上辺と下辺に、強靭で長い建材を水平に横たえ、それらを垂直につなぐように、細いパイプ状の建材が多数整列していた。
【００１１】  これを前提として本考案を実施するためには、［０００４］で記述した手すりカバーをフェンスの上辺にあてがって仮止めし、下辺においては手すりカバーと同じ長さであるが幅がせまい底辺材料をあてがって仮止めし、それらの両端、合わせて４箇所を２本の垂直材料で垂直に連結することによって全体を安定させ強化することができる。これを図示するために、バルコニーの上から垂直に見た状況と外から水平に見た状況を互いに対応するように配置して図３とした。
【００１２】  図３において垂直方向と水平方向から図示した工事の概況を、図４では横方向から図示した断面図として描き、且つ縮尺を大幅に拡大することにより、手すりカバーがフェンスの上辺の上に、底辺材料がフェンスの下辺の下に、垂直材料がそれらを連結している状況を明確にした。
【００１３】  図４で図示したフェンスは神奈川県内で観察した一部の高層住宅を参考とし、手すりの断面を長方形と想定しているが、そのほかに、手すりの断面が楕円形または円形となっている場合もありうるので、その場合には、それに適合する手すりカバーと底辺材料を提供しなければならない。その可能性を考慮して図５を追加した。
【符号の説明】
【００１４】    １  バルコニー
２  フェンス
３  手すり
４  手すりカバー
５  底辺材料
６  垂直材料
【手続補正２】
【補正対象書類名】実用新案登録請求の範囲
【補正対象項目名】全文
【補正方法】変更
【補正の内容】
【実用新案登録請求の範囲】
【請求項１】
高層の集合住宅において、各居住区の露天部分にバルコニーを配置し、その外縁の全長にわたって転落防止のフェンスを設けている場合に、その上端にある手すりの上に、幅広い手すりカバーを配置し、幼児の小さい手では握れない状況にする転落防止装置
【請求項２】
事故防止の対象としていた幼児が成長して本装置が不必要になった場合に取り外し、同じ集合住宅における他の入居者の幼児のために転用することができるために着脱可能とした転落防止装置
【手続補正書】
【提出日】平成23年4月7日(2011.4.7)
【手続補正２】
【補正対象書類名】実用新案登録請求の範囲
【補正対象項目名】全文
【補正方法】変更
【補正の内容】
【実用新案登録請求の範囲】
【請求項１】
高層の集合住宅において、各居住区の露天部分にバルコニーを配置し、その外縁の全長にわたって転落防止のフェンスを設けている場合に、その上端にある手すりの上に、幅広い手すりカバーを配置し、幼児の小さい手では握れない状況にする転落防止装置
【請求項２】
事故防止の対象としていた幼児が成長して本装置が不必要になった場合に取り外し、同じ集合住宅における他の入居者の幼児のために転用することができるように着脱可能としたことを特徴とする請求項１記載の転落防止装置